(57)【要約】【課題】照明装置内のＬＥＤの発熱による温度上昇を低減させる機能を有するより安価な照明装置を提供する。【解決手段】光源としてのＬＥＤを間に空間を設けて上方から覆って保護する立体的なカバーに放熱用の開口を設け、前記カバーが、前記ＬＥＤの側面周囲を覆う側面部材と前記側面部材の前記ＬＥＤと反対側を塞ぐ蓋部材からなり、前記側面部材と蓋部材の少なくとも一方に少なくとも１つの前記開口を設け、前記開口が、前記蓋部材または側面部材の一部に設けられた開口部と、前記開口部との間に前記開口を形成する隙間を設けるように前記カバーの内側にずらして前記蓋部材または側面部材に固定され前記開口部と相似形で前記開口部以上の面積を有するプレートと、により構成されている。【選択図】図３
2014053227.tif 000002
【特許請求の範囲】
【請求項１】
光源としてのＬＥＤを間に空間を設けて上方から覆って保護する立体的なカバーに放熱用の開口を設けたことを特徴とする照明装置。
【請求項２】
前記カバーが、前記ＬＥＤの側面周囲を覆う側面部材と前記側面部材の前記ＬＥＤと反対側を塞ぐ蓋部材からなり、前記側面部材と蓋部材の少なくとも一方に少なくとも１つの前記開口を設けたことを特徴とする請求項１に記載の照明装置。
【請求項３】
前記開口が、前記蓋部材または側面部材の一部に設けられた開口部と、前記開口部との間に前記開口を形成する隙間を設けるように前記カバーの内側にずらして前記蓋部材または側面部材に固定され前記開口部と相似形で前記開口部以上の面積を有するプレートと、により構成されていることを特徴とする請求項２に記載の照明装置。
【請求項４】
前記開口が、前記蓋部材または側面部材の一部に設けられた開口部と、前記開口部との間に前記開口を形成する隙間を設けるように前記カバーの外側にずらして前記蓋部材または側面部材に固定され前記開口部と相似形で前記開口部より大きい面積を有するプレートと、により構成されていることを特徴とする請求項２に記載の照明装置。
【請求項５】
前記開口が、前記蓋部材または側面部材の一部に設けられた開口部と、前記開口部との間に前記開口を形成する隙間を設けて前記開口部を塞ぐように前記開口部内に固定され前記開口部と相似形で前記開口部より小さい面積を有するプレートと、により構成されていることを特徴とする請求項２に記載の照明装置。
【請求項６】
前記開口が、前記側面部材に設けられた貫通穴により構成されていることを特徴とする請求項２に記載の照明装置。
【請求項７】
前記ＬＥＤからの光が前記隙間から直接出ないように、前記開口の位置と大きさの少なくとも一方、前記カバーの厚み、前記ＬＥＤの配置位置と大きさの少なくとも一方、のうちの少なくとも１つが調整されていることを特徴とする請求項１から６までのいずれか１項に記載の照明装置。
【請求項８】
前記ＬＥＤをおもて面に実装するプリント基板、および前記プリント基板を裏面側から保持するケースにそれぞれ放熱用の貫通穴を設けたことを特徴とする請求項１から７までのいずれか１項に記載の照明装置。
【請求項９】
光源としてのＬＥＤを間に空間を設けて上方から覆って保護する立体的なカバーに開口を設けて放熱を行うことを特徴とする照明装置の放熱方法。
【請求項１０】
前記開口の位置と大きさの少なくとも一方と、前記カバーの厚みと、前記ＬＥＤの配置位置と大きさの少なくとも一方、のうちの少なくとも１つを調整して前記ＬＥＤからの光が前記開口から直接出ないようにしたことを特徴とする請求項９に記載の照明装置の放熱方法。
【発明の詳細な説明】
【技術分野】
【０００１】
この発明は、ＬＥＤを適用した照明装置、特にＬＥＤが発生する熱の放熱に関する。
【背景技術】
【０００２】
近年、ＬＥＤはどんどん明るくなり、照明にも適用されるようになった。それに伴い、ＬＥＤの発熱も大きくなり、熱により短寿命化するＬＥＤは放熱がより重要になっている。そのため、ＬＥＤを適用した照明装置は、ＬＥＤの発熱による温度上昇を低減させるために、多くの手段、費用を費やしている。
【０００３】
例えば、ＬＥＤを実装している基板の裏側に放熱フィンを設けて温度上昇を低減させるものがあった(例えば下記特許文献１参照)。
また他には、基板の横に放熱フィンを設けたものがあった(例えば特許文献２参照)。
【先行技術文献】
【特許文献】
【０００４】
【特許文献１】特開２０１０−２７７９１０号公報(第７頁、図２)
【特許文献２】特開２００８−３４１４０号公報(第７頁、図１）
【発明の概要】
【発明が解決しようとする課題】
【０００５】
しかしながら、照明装置内のＬＥＤの発熱による温度上昇を低減しつつ、安価に製作することが望まれる。
【０００６】
この発明は、照明装置内のＬＥＤの発熱による温度上昇を低減させる機能を有するより安価な照明装置等を提供することを目的とする。
【課題を解決するための手段】
【０００７】
この発明は、光源としてのＬＥＤを間に空間を設けて上方から覆って保護する立体的なカバーに放熱用の開口を設け、前記カバーが、前記ＬＥＤの側面周囲を覆う側面部材と前記側面部材の前記ＬＥＤと反対側を塞ぐ蓋部材からなり、前記側面部材と蓋部材の少なくとも一方に少なくとも１つの前記開口を設け、前記開口が、前記蓋部材または側面部材の一部に設けられた開口部と、前記開口部との間に前記開口を形成する隙間を設けるように前記カバーの内側にずらして前記蓋部材または側面部材に固定され前記開口部と相似形で前記開口部以上の面積を有するプレートと、により構成されている照明装置等にある。
【発明の効果】
【０００８】
この発明では、照明装置内のＬＥＤの発熱による温度上昇を低減させる機能を有するより安価な照明装置等を提供できる。
【図面の簡単な説明】
【０００９】
【図１】この発明による照明装置が使用されるエレベーター用位置表示器の一例を示す図である。
【図２】図１のエレベーター用位置表示器のＡ−Ａ線に沿った断面図である。
【図３】この発明の実施の形態１による照明装置の拡大斜視図である。
【図４】図３のＢ−Ｂ線に沿った断面図である。
【図５】この発明の実施の形態２による照明装置の拡大斜視図である。
【図６】図５のＢ−Ｂ線に沿った断面図である。
【図７】この発明の実施の形態３による照明装置の拡大斜視図である。
【図８】図７のＢ−Ｂ線に沿った断面図である。
【図９】この発明の実施の形態４による照明装置の拡大斜視図である。
【図１０】図９のＢ−Ｂ線に沿った断面図である。
【図１１】この発明による照明装置が使用されるエレベーター用位置表示器の別の例を示す図である。
【図１２】図１１のＡ−Ａ線に沿った断面図である。
【図１３】この発明の実施の形態５による照明装置の断面図である。
【発明を実施するための形態】
【００１０】
以下、この発明による照明装置等を各実施の形態に従って図面を用いて説明する。なお、各実施の形態において、同一もしくは相当部分は同一符号で示し、重複する説明は省略する。また以下では、エレベーター用位置表示器に使用される照明装置を例に挙げて説明する。
【００１１】
実施の形態１．
図１は実際にこの発明による照明装置が使用されるエレベーター用位置表示器を示し、１はフェースプレート、２は位置表示灯、３はエレベーターの動いている方向を示す方向灯である。図２は図１のエレベーター用位置表示器の「２階」を示す位置表示灯２でのＡ−Ａ線に沿った断面図を示し、４は電球用ソケット、５はソケット４に取り付けられたこの発明の実施の形態１による照明装置である。ソケット４と照明装置５は各位置表示灯２、方向灯３毎にそれぞれに設けられている。ソケット４側から照明装置５に電力が供給されて照明装置５に電気が流れると、照明装置５が点灯し、照明装置５の前の位置表示灯２または方向灯３が明るくなり、エレベーターの位置や、運転方向が分るようになっている。
【００１２】
図３はこの発明の実施の形態１による照明装置５の拡大斜視図(一部透視して示す)、図４は図３のＢ−Ｂ線に沿った断面図である。図３，４において、８はＬＥＤで、プリント基板７のおもて面に実装されている。９は点灯回路部品で、プリント基板７の裏面に実装されている。１０は一方でプリント基板７とカバー６を裏面側から保持すると共に、他方でソケット４にねじ込まれて固定されＬＥＤ８および点灯回路部品９への給電を行う口金１１を保持するケースである。口金１１のネジ形状の側面電極部１１ａと先端電極部１１ｂがプリント基板７にそれぞれ電線１２，１３で電気的に接続され、ソケット４から電力が供給される。
【００１３】
カバー６は、ＬＥＤ８の光を拡散させると共に基板上の実装部品を含むプリント基板７全体を保護するためのもので、乳白色や透明の絶縁性の材質のものからなる。なお、カバー６は、ＬＥＤ８を間に空間を設けて上方(光放射方向側)から覆って保護する立体的な形状を有し、ＬＥＤ８の側面周囲を覆う側面部材６１と、側面部材６１のＬＥＤ８が設けられている側と反対側(光放射方向側)を塞ぐ蓋部材６２からなる。
【００１４】
このような構成の照明装置５に於いて、照明装置５に電気が流れると、ＬＥＤ８が点灯すると共に、ＬＥＤ８の発熱によりＬＥＤ電球である照明装置５の内部温度が上昇する。ＬＥＤ８の発熱は、カバー６，ケース１０、口金１１などを介して放熱される。
【００１５】
そしてこの発明においては、カバー６に放熱用の開口ＯＰを設けた。図３，４において、開口ＯＰは、カバー６の蓋部材６２の一部に開口部(貫通穴)６ａが設けられ、さらに開口部６ａとほぼ同じ大きさのプレート１４をカバー６の内側に設けて構成されている。開口ＯＰは側面部材６１側に設けてもよい。
【００１６】
総じて、開口ＯＰは、蓋部材６２または側面部材６１の一部に設けられた開口部６ａと、開口部６ａとの間に開口ＯＰを形成する隙間ＯＰを設けるようにカバー６の内側にずらして蓋部材６２または側面部材６１に固定され開口部６ａと相似形で開口部６ａ以上の面積を有するプレート１４と、により構成される。
【００１７】
プレート１４は、つなぎ部１４ａ(通常、強度を考慮して複数個所)で繋がってカバー６に固定されている。また、ＬＥＤ８は、カバー６とプレート１４の隙間ＯＰから直接光が出ていかず、間接光のみが出ていくようなそれぞれの寸法関係になっており、見た目に明るさのばらつきが少ないようにしている。このような照明装置５の構成に於いて、照明装置５に電気が流れると、ＬＥＤ８が点灯すると共に、ＬＥＤ８の発熱により照明装置５の内部温度が上昇する。ＬＥＤ８の発熱は、カバー６、ケース１０、口金１１などを介して放熱されると共に、図４の一点鎖線ＲＡのような空気の流れが生じ、従来より照明装置の内部温度上昇が低減される。
【００１８】
なお、カバー６の開口部６ａおよびプレート１４(すなわち放熱用の開口ＯＰ)の形状は、必ずしも丸でなくてもよく、多角形でも同様の効果が得られ、複数個設けることも可能である。また、プレート１４、開口部６ａはカバー６の図の左側すなわち蓋部材６２にある必要はなく、筒状の面すなわち側面部材６１にあっても同じ効果を得る。
【００１９】
実施の形態２．
図５はこの発明の実施の形態２による照明装置５の拡大斜視図(一部透視して示す)、図６は図５のＢ−Ｂ線に沿った断面図である。図５，６において、開口ＯＰは、カバー６の蓋部材６２の一部に開口部(貫通穴)６ａが設けられ、さらに開口部６ａとほぼ同じか若干大きめのプレート１４をカバー６の外側に設けて構成されている。開口ＯＰは側面部材６１側に設けてもよい。
【００２０】
総じて、開口ＯＰは、蓋部材６２または側面部材６１の一部に設けられた開口部６ａと、開口部６ａとの間に開口ＯＰを形成する隙間ＯＰを設けるようにカバー６の外側にずらして蓋部材６２または側面部材６１に固定され開口部６ａと相似形で開口部６ａより大きい面積を有するプレート１４と、により構成される。
【００２１】
プレート１４は、つなぎ部１４ａ(通常、強度を考慮して複数個所)で繋がってカバー６に固定されている。また、ＬＥＤ８は、カバー６とプレート１４の隙間ＯＰから直接光が出ていかず、間接光のみが出ていくようなそれぞれの寸法関係になっており、見た目に明るさのばらつきが少ないようにしている。このような照明装置５の構成に於いて、照明装置５に電気が流れると、ＬＥＤ８が点灯すると共に、ＬＥＤ８の発熱により照明装置５の内部温度が上昇する。ＬＥＤ８の発熱は、カバー６、ケース１０、口金１１などを介して放熱されると共に、図６の一点鎖線ＲＡのような空気の流れが生じ、従来より照明装置の内部温度上昇が低減される。
【００２２】
なお、カバー６の開口部６ａおよびプレート１４(すなわち放熱用の開口ＯＰ)の形状は、必ずしも丸でなくてもよく、多角形でも同様の効果が得られ、複数個設けることも可能である。また、プレート１４、開口部６ａはカバー６の図の左側すなわち蓋部材６２にある必要はなく、筒状の面すなわち側面部材６１にあっても同じ効果を得る。
【００２３】
実施の形態３．
図７はこの発明の実施の形態３による照明装置５の拡大斜視図(一部透視して示す)、図８は図７のＢ−Ｂ線に沿った断面図である。図７，８において、カバー６はＬＥＤ８の側面周囲を覆う側面部材６１からなり、側面部材６１のＬＥＤ８と反対側は開口部６ａとなっている。そして開口ＯＰは、開口部６ａと開口部６ａより若干小さいプレート１４で構成されている。
【００２４】
上記実施の形態１，２のように側面部材６１のＬＥＤ８と反対側が、蓋部材が設けられた構成のカバーでは、蓋部材に設けられた開口部６ａに対して同様に開口ＯＰを形成してもよい。また開口ＯＰは側面部材６１側に設けてもよい。
【００２５】
総じて開口ＯＰは、蓋部材６２または側面部材６１の一部に設けられた開口部６ａと、開口部６ａとの間に開口ＯＰを形成する隙間ＯＰを設けて開口部６ａを塞ぐように開口部６ａ内に固定され開口部６ａと相似形で開口部６ａより小さい面積を有するプレート１４と、により構成される。
【００２６】
プレート１４は、つなぎ部１４ａ(通常、強度を考慮して複数個所)で繋がってカバー６に固定されている。また、ＬＥＤ８は、カバー６とプレート１４の隙間ＯＰから直接光がカバー６から出ていかず、間接光のみが出ていくようなそれぞれの寸法関係になっており、見た目に明るさのばらつきが少ないようにしている。このような照明装置５の構成に於いて、照明装置５に電気が流れると、ＬＥＤ８が点灯すると共に、ＬＥＤ８の発熱により照明装置５の内部温度が上昇する。ＬＥＤ８の発熱は、カバー６、ケース１０、口金１１などを介して放熱されると共に、図８の一点鎖線のような空気の流れが生じ、従来より照明装置の内部温度上昇が低減される。
【００２７】
なお、カバー６の開口部６ａおよびプレート１４(ひいては放熱用の開口ＯＰ)の形状は、必ずしも丸でなくてもよく、多角形でも同様の効果が得られ、側面部材６１のＬＥＤ８と反対側が、蓋部材が設けられ蓋部材に複数の開口部６ａが設けられている構成であれば(図示省略)、複数個設けることも可能である。また、プレート１４、開口部６ａはカバー６の図の左側すなわち蓋部材側にある必要はなく、筒状の面すなわち側面部材６１にあっても同じ効果を得る。
【００２８】
実施の形態４．
図９はこの発明の実施の形態４による照明装置５の拡大斜視図(一部透視して示す)、図１０は図９のＢ−Ｂ線に沿った断面図である。図９，１０において、開口ＯＰは、カバー６の側面部材６１の周囲に９０度間隔に例えば丸穴である貫通穴６ｄを設けて構成されている。また、ＬＥＤ８は、貫通穴６ｄから直接光が出ていかず、間接光のみが出ていくような寸法関係になっており、見た目に明るさのばらつきが少ないようにしている。このような照明装置５の構成に於いて、照明装置５に電気が流れると、ＬＥＤ８が点灯すると共に、ＬＥＤ８の発熱により照明装置５の内部温度が上昇する。ＬＥＤ８の発熱は、カバー６、ケース１０、口金１１などを介して放熱されると共に、図１０の一点鎖線ＲＡのような空気の流れが生じ、従来より照明装置の内部温度上昇が低減される。
【００２９】
なお、カバー６の貫通穴６ｄは、必ずしも丸でなくてもよく、多角形でも間接光のみが出ていく構造であれば同様の効果が得られる。
【００３０】
実施の形態５．
上記実施の形態１〜４ではＬＥＤの光の照射方向が水平方向になるように照明装置を水平方向に取り付けた例で説明したが、本実施の形態では、鉛直方向に取り付けた例を説明する。
【００３１】
図１１は図１とデザインが異なるエレベーター用位置表示器を示して図であり、２は位置表示灯、３はエレベーターの動いている方向を示す方向灯である。図１２は図１１のＡ−Ａ線に沿った断面図であり、４は電球用ソケット、５はソケット４に取り付けられたこの発明の実施の形態５による照明装置である。照明装置５に電気が流れると、照明装置５が点灯し、位置表示灯２、方向灯３が明るくなり、エレベーターの位置や、運転方向が分るようになっている。
【００３２】
図１３はこの実施の形態５による照明装置５の断面図であり、図７、８に示した実施の形態３の照明装置５のプリント基板７に貫通穴７ａ、ケース１０に貫通穴１０ａを追加したものである。この構成に於いて、ＬＥＤ８が発熱すると、図１３の一点鎖線ＲＡのような空気の流れが生じ、従来より照明装置の内部温度上昇が低減される。
【００３３】
なお、本実施の形態では、実施の形態３を引用して説明したが、他の実施の形態でも同様の効果がある。特に実施の形態１〜３の場合に一点鎖線ＲＡで示す空気の流れが直線的になり、加熱した空気が下方から上方へ抜け易く放熱効果が高い。また、より分り易くするため、照明装置５を垂直に取り付けた場合で説明をしたが、水平に取り付けた照明装置５に実施しても内部温度の低減効果は十分得られる。
【００３４】
この発明のＬＥＤを使用した照明装置は、カバー等に隙間や貫通穴からなる開口を設けたことにより、ＬＥＤの熱を逃がすことができる。これにより、照明装置内の温度上昇が低減できるので、放熱フィンを小型化、廃止することが可能となり、安価に製造することが可能となる。この発明はエレベーターの位置表示器などの表示灯等に適用できる。
【００３５】
また特に上記実施の形態１〜４において、開口ＯＰの位置と大きさの少なくとも一方と、カバー６の厚みと、ＬＥＤ８の配置位置と大きさの少なくとも一方、のうちの少なくとも１つを調整することで、ＬＥＤ８からの光が開口ＯＰから直接出ないようにして、間接光のみが出ていくようにすることで、見た目の明るさのばらつきを少なくできる。
【００３６】
なお、この発明は上記各実施の形態に限定されるものではなく、形態の異なる開口を組み合わせて設ける等、これらの実施の形態の可能な組み合わせを全て含むことは云うまでもない。
【符号の説明】
【００３７】
１  フェースプレート、２  位置表示灯、３  方向灯、４  電球用ソケット、５  照明装置、６  カバー、６ａ  開口部、６ｄ  貫通穴、７  プリント基板、７ａ  貫通穴、９  点灯回路部品、１０  ケース、１０ａ  貫通穴、１１  口金、１１ａ  側面電極部、１１ｂ  先端電極部、１２，１３  電線、１４  プレート、１４ａ  つなぎ部、６１  側面部材、６２  蓋部材、ＯＰ  開口(隙間)、ＲＡ  一点鎖線。
【図１】
2014053227.tif 000003
【図２】
2014053227.tif 000004
【図３】
2014053227.tif 000005
【図４】
2014053227.tif 000006
【図５】
2014053227.tif 000007
【図６】
2014053227.tif 000008
【図７】
2014053227.tif 000009
【図８】
2014053227.tif 000010
【図９】
2014053227.tif 000011
【図１０】
2014053227.tif 000012
【図１１】
2014053227.tif 000013
【図１２】
2014053227.tif 000014
【図１３】
2014053227.tif 000015